(57)【要約】【課題】より簡素な構成で製造コストを軽減することが可能なカミソリを得る。【解決手段】カミソリ１では、内縁２ｂに刃４を有する複数の小孔２ａが穿設された略平板状の剃毛部２と細長いグリップ部３とが、金属材料またはセラミック材料によって一体成形されている。【選択図】図１
2008132003.tif 000002
【特許請求の範囲】
【請求項１】
内縁に刃を有する複数の小孔が穿設された略平板状の剃毛部と細長いグリップ部とが、金属材料またはセラミック材料によって一体成形されていることを特徴とするカミソリ。
【請求項２】
前記剃毛部と前記グリップ部との間に弾性変形部を設けたことを特徴とする請求項１に記載のカミソリ。
【請求項３】
前記弾性変形部を前記剃毛部表面の直上方から前記グリップ部側にずらして配置したことを特徴とする請求項１または２に記載のカミソリ。
【請求項４】
前記グリップ部の少なくとも一部を、屈曲断面を有する板状部分として形成したことを特徴とする請求項１〜３のうちいずれか一つに記載のカミソリ。
【請求項５】
前記グリップ部の末端に、当該グリップ部の長手方向と略直交する方向に張り出す張出部を形成したことを特徴とする請求項１〜４のうちいずれか一つに記載のカミソリ。
【請求項６】
前記グリップ部は、前記剃毛部の周囲に巻回可能な可撓性を有することを特徴とする請求項１〜５のうちいずれか一つに記載のカミソリ。
【請求項７】
鏡面部を有することを特徴とする請求項１〜６のうちいずれか一つに記載のカミソリ。
【発明の詳細な説明】
【技術分野】
【０００１】
本発明は、グリップ部と剃毛部とを有するカミソリに関する。
【背景技術】
【０００２】
従来のこの種のカミソリは、樹脂によって構成される部分（例えば柄）に、研磨処理等を施した金属製の刃を組み込んで製作されるのが一般的である（例えば特許文献１）。
【特許文献１】特開２００５−２６１５４４号公報
【発明の開示】
【発明が解決しようとする課題】
【０００３】
しかしながら、上記従来のカミソリでは、樹脂によって構成される部分と金属によって構成される部分とを有する分、製造工程が複雑になり、製造コストが増大するという問題があった。
【０００４】
そこで、本発明は、より簡素な構成で製造コストを軽減することが可能なカミソリを得ることを目的とする。
【課題を解決するための手段】
【０００５】
請求項１の発明にあっては、内縁に刃を有する複数の小孔が穿設された略平板状の剃毛部と細長いグリップ部とが、金属材料またはセラミック材料によって一体成形されていることを特徴とする。
【０００６】
請求項２の発明にあっては、上記剃毛部と上記グリップ部との間に弾性変形部を設けたことを特徴とする。
【０００７】
請求項３の発明にあっては、上記弾性変形部を上記剃毛部表面の直上方から上記グリップ部側にずらして配置したことを特徴とする。
【０００８】
請求項４の発明にあっては、上記グリップ部の少なくとも一部を、屈曲断面を有する板状部分として形成したことを特徴とする。
【０００９】
請求項５の発明にあっては、上記グリップ部の末端部に、当該グリップ部の長手方向と略直交する方向に張り出す張出部を形成したことを特徴とする。
【００１０】
請求項６の発明にあっては、上記グリップ部は、上記剃毛部の周囲に巻回可能な可撓性を有することを特徴とする。
【００１１】
請求項７の発明にあっては、鏡面部を有することを特徴とする。
【発明の効果】
【００１２】
請求項１の発明によれば、剃毛部とグリップ部とを一体成形することで、部品点数が減って製造工程が簡素化され、製造コストを軽減することができる。
【００１３】
請求項２の発明によれば、弾性変形部によって剃毛部がグリップ部に対して姿勢変化しやすくなり、剃毛部の肌への追従性を向上することができる。
【００１４】
請求項３の発明によれば、弾性変形部をグリップ部側にずらして配置した分、剃毛部が露出して掃除しやすくなる。
【００１５】
請求項４の発明によれば、グリップ部が立体的になる分、操作性や使い心地が向上する。さらに、当該握りやすい立体的なグリップ部を有するカミソリを、一つの板状部材から成形できるという利点がある。
【００１６】
請求項５の発明によれば、張出部を設けた分、カミソリを立てかけやすくなったり、縦置きの姿勢で自立させやすくなったりする。
【００１７】
請求項６の発明によれば、グリップ部を剃毛部の周囲に巻回することで、手指等が剃毛部に形成した刃に接触しにくくなる。また、巻回した状態ではカミソリがよりコンパクトになるため、持ち運びが容易になったり、収納しやすくなったりする等、利便性が高まる。
【００１８】
請求項７の発明によれば、鏡面部によって剃毛状態等を確認できて便利である。
【発明を実施するための最良の形態】
【００１９】
以下、本発明の実施形態について図面を参照しながら詳細に説明する。
【００２０】
（第１実施形態）図１は、本実施形態にかかるカミソリの斜視図である。
【００２１】
本実施形態にかかるカミソリ１は、略矩形（略長方形）の平板状の剃毛部２と、細長い帯板状のグリップ部３とが、金属材料またはセラミック材料によって一体成形されている。
【００２２】
剃毛部２には、その内縁２ｂに刃４が形成された略矩形断面の小孔２ａが複数穿設されている。具体的には、小孔２ａの側面２ｃと剃毛部２の裏面２ｄとの角度が鋭角に形成され、当該側面２ｃと裏面２ｄとの境界としての内縁２ｂをシャープエッジとすることで刃４が形成されている。
【００２３】
したがって、使用者は、グリップ部３を掴持して、剃毛部２の裏面（肌当接面）２ｄを肌に当接させ、適度な力で押し付けながら肌に沿って動かすことで、剃毛することができる。
【００２４】
グリップ部３は、全体として細長い帯板状を呈しており、グリップ部３の剃毛部２との接続部３ａは、略長方形状の剃毛部２の一長辺の中央部から当該剃毛部２の表面２ｅに対して略垂直な方向に伸びるとともに、当該接続部３ａに屈曲部３ｂを介して接続される延伸部３ｃは、表面２ｅから上方にずれた位置で当該表面２ｅと略平行に伸びている。かかる構成により、グリップ部３が肌に接触するのが抑制されている。
【００２５】
このカミソリ１は、具体的には、まずは、例えば厚さ１ｍｍのＳＵＳ４２０Ｊ２の生材（板材）あるいは焼鈍板材を打ち抜き加工することでカミソリ１の全体（剃毛部２およびグリップ部３）の外形および小孔２ａを形成し、次に、プレス加工によって剃毛部２とグリップ部３との境界部分に曲げ加工を施すとともに小孔２ａの側面２ｃを形成し、焼入れした後に、刃４の裏面２ｄを研削あるいは研磨することで、得ることができる。
【００２６】
なお、本実施形態では、剃毛部２の板厚ｔ１を、グリップ部３の板厚ｔ２より小さくすることで、剃毛部２の柔軟性が増し、これにより、肌に対する追従性が向上している。各部の板厚ｔ１，ｔ２は、プレス加工時に調整することが可能である。
【００２７】
以上の本実施形態によれば、剃毛部２とグリップ部３とを一体成形することで、製造工程が簡素化され、製造コストを軽減することができる。
【００２８】
（第２実施形態）図２は、本実施形態にかかるカミソリの斜視図である。なお、本実施形態にかかるカミソリ１Ａは、上記第１実施形態にかかるカミソリと同様の構成要素を備えている。よって、以下では、それら同様の構成要素には共通の符号を付すとともに、重複する説明を省略する。
【００２９】
本実施形態にかかるカミソリ１Ａは、剃毛部２とグリップ部３との間に弾性変形部５を備えている。この弾性変形部５は、側面視で略Ｚ字状に屈曲形成されており、剃毛部２に入力される肌からの反力によって、二つの屈曲点５ａ，５ｂを基点として屈曲変形することで、グリップ部３に対する剃毛部２の角度変化を許容するものである。なお、この弾性変形部５は、上記プレス加工（曲げ加工）の工程で形成することができる。
【００３０】
かかる構成によれば、弾性変形部５によって剃毛部２がグリップ部３に対して姿勢変化しやすくなり、剃毛部２の肌への追従性を向上することができる。
【００３１】
（第３実施形態）図３は、本実施形態にかかるカミソリの斜視図である。なお、本実施形態にかかるカミソリ１Ｂは、上記各実施形態にかかるカミソリと同様の構成要素を備えている。よって、以下では、それら同様の構成要素には共通の符号を付すとともに、重複する説明を省略する。
【００３２】
本実施形態にかかるカミソリ１Ｂも、剃毛部２とグリップ部３との間に弾性変形部５Ｂを備えており、この点では、上記第２実施形態と同様の作用効果を得ることができる。
【００３３】
ただし、本実施形態では、比較的小さい山部と谷部とが反復形成された弾性変形部５Ｂを、剃毛部２の表面２ｅの直上方からグリップ部３側にずらして配置することで当該剃毛部２の表面２ｅを露出させ、弾性変形部５Ｂが掃除の邪魔になることを抑制している。
【００３４】
すなわち、かかる構成によれば、剃毛部２に付着した毛や皮脂等の汚れを除去しやすくなって、カミソリ１Ｂをより清潔に維持しやすくなる。
【００３５】
（第４実施形態）図４は、本実施形態にかかるカミソリの斜視図である。なお、本実施形態にかかるカミソリ１Ｃは、上記各実施形態にかかるカミソリと同様の構成要素を備えている。よって、以下では、それら同様の構成要素には共通の符号を付すとともに、重複する説明を省略する。
【００３６】
本実施形態にかかるカミソリ１Ｃは、基本的には上記第２実施形態にかかるカミソリ１Ａと略同一の構成を備えている。
【００３７】
ただし、本実施形態では、Ｚ字状の弾性変形部５Ｃの中央部に開口窓部５ｃを設けることで当該剃毛部２の表面２ｅを露出させ、弾性変形部５Ｃが掃除の邪魔になることを抑制している。
【００３８】
（第５実施形態）図５は、本実施形態にかかるカミソリの斜視図である。なお、本実施形態にかかるカミソリ１Ｄは、上記各実施形態にかかるカミソリと同様の構成要素を備えている。よって、以下では、それら同様の構成要素には共通の符号を付すとともに、重複する説明を省略する。
【００３９】
本実施形態にかかるカミソリ１Ｄでは、グリップ部３Ｄの少なくとも末端部（本実施形態では末端部から略中央部までの区間）を断面円弧状（略Ｃ字状）の半筒状に屈曲成形している。
【００４０】
かかる構成によれば、帯板状のグリップ部に比べてグリップ部３Ｄの操作性や使い心地が向上する上、当該握りやすい立体的なグリップ部３Ｄを有するカミソリ１Ｄを、一つの板状部材から容易に成形できるという利点がある。なお、さらに、グリップ部３Ｄの表面に凹凸形状（例えば、溝、突条、突起、穴等）を設けると、手指から滑り落ちにくくなって、操作性や使い心地をより一層向上することができる。
【００４１】
（第６実施形態）図６は、本実施形態にかかるカミソリの斜視図である。なお、本実施形態にかかるカミソリ１Ｅは、上記各実施形態にかかるカミソリと同様の構成要素を備えている。よって、以下では、それら同様の構成要素には共通の符号を付すとともに、重複する説明を省略する。
【００４２】
本実施形態にかかるカミソリ１Ｅでは、グリップ部３Ｅの末端部に、当該グリップ部３Ｅの長手方向と略直交する方向に張り出す張出部６を形成している。具体的には、グリップ部３Ｅの末端部を一端上方に屈曲させ、その上端部を下方に屈曲させることで、張出部６の端面部６ａを形成している。この張出部６は、カミソリ１Ｅを縦置きの姿勢としたときに、脚あるいは台座として機能することになる。
【００４３】
かかる構成によれば、張出部６を設けた分、カミソリ１Ｅを洗面所（洗面台）や風呂場等の壁の縦面に立てかけた状態で置きやすくなる。さらに大きな張出部６を設けると、カミソリ１Ｅを縦向きに自立させることも可能となる。
【００４４】
（第７実施形態）図７は、本実施形態にかかるカミソリの伸張状態を示す斜視図、図８は、グリップ部を剃毛部の周囲に巻回した収納状態を示す斜視図である。なお、本実施形態にかかるカミソリ１Ｆは、上記各実施形態にかかるカミソリと同様の構成要素を備えている。よって、以下では、それら同様の構成要素には共通の符号を付すとともに、重複する説明を省略する。
【００４５】
本実施形態では、グリップ部３Ｆが、剃毛部２の周囲に巻回可能な可撓性を有している。これは、例えば、カミソリ１ＦをＳＵＳ４２０Ｊ２のようなバネ鋼によって成形することで実現可能である。
【００４６】
具体的には、図７に示すように、グリップ部３Ｆは、伸張状態では、平行な二本の帯板部３Ｆａ，３Ｆｂと、それら帯板部３Ｆａ，３Ｆｂの末端で巻回方向に沿って僅かに湾曲する略矩形状のカバー部３Ｆｃとを備える。この伸張状態で剃毛処理が行われる。
【００４７】
一方、図８に示すように、収納状態では、二本の帯板部３Ｆａ，３Ｆｂが剃毛部２の表面２ｅ上を略逆Ｕ字状に跨って配置され、カバー部３Ｆｃが剃毛部２の裏面２ｄの下方に配置されて、これら帯板部３Ｆａ，３Ｆｂとカバー部３Ｆｃとが剃毛部２をその長手方向軸回りに巻回されるようになっている。また、剃毛部２に形成した係合孔２ｆに、カバー部３Ｆｃに形成した係合突起３Ｆｄを差し込むことで、当該巻回状態が維持できるようにしてある。
【００４８】
本実施形態によれば、グリップ部３Ｆを剃毛部２の周囲に巻回することで、手指等が剃毛部２に形成した刃４に接触しにくくなる。また、巻回した状態ではカミソリ１Ｆがよりコンパクトになるため、持ち運びが容易になったり、収納しやすくなったりする等、利便性が高まる。
【００４９】
（第８実施形態）図８は、本実施形態にかかるカミソリの斜視図である。なお、本実施形態にかかるカミソリ１Ｇは、上記各実施形態にかかるカミソリと同様の構成要素を備えている。よって、以下では、それら同様の構成要素には共通の符号を付すとともに、重複する説明を省略する。
【００５０】
本実施形態にかかるカミソリ１Ｇは、基本的に上記第２実施形態にかかるカミソリ１Ａとほぼ同様の構成を備えている。
【００５１】
ただし、本実施形態では、カミソリ１Ｇの一部（本実施形態では弾性変形部５Ｇ）の表面を鏡面化することで、鏡面部７を形成している。
【００５２】
かかる構成によれば、この鏡面部７によって別途鏡等を用いることなく剃毛状態等を確認することができて便利である。
【００５３】
以上、本発明の好適な実施形態について説明したが、本発明は上記実施形態には限定されず種々の変形が可能である。例えば、剃毛部や、弾性変形部、グリップ部、張出部等の形状、厚み、大きさなどは、上記実施形態に限定されるものではなく、種々に変形することが可能である。グリップ部は、略コ字状断面等、他の屈曲断面としてもよいし、円管状に形成してもよい。また、張出部は、略Ｌ字状に成形してもよいし、帯板部分の幅方向に張り出させてもよい。
【００５４】
また、上記実施形態では、カミソリをステンレススチールによって成形した場合を例示したが、他の金属材料によって成形してもよいし、セラミック材料によって成形してもよい。
【図面の簡単な説明】
【００５５】
【図１】本発明の第１実施形態にかかるカミソリの斜視図である。
【図２】本発明の第２実施形態にかかるカミソリの斜視図である。
【図３】本発明の第３実施形態にかかるカミソリの斜視図である。
【図４】本発明の第４実施形態にかかるカミソリの斜視図である。
【図５】本発明の第５実施形態にかかるカミソリの斜視図である。
【図６】本発明の第６実施形態にかかるカミソリの斜視図である。
【図７】本発明の第７実施形態にかかるカミソリの伸張状態を示す斜視図である。
【図８】本発明の第７実施形態にかかるカミソリのグリップ部を剃毛部の周囲に巻回した収納状態を示す斜視図である。
【図９】本発明の第８実施形態にかかるカミソリの斜視図である。
【符号の説明】
【００５６】
１，１Ａ〜１Ｇ  カミソリ
２  剃毛部
２ａ  小孔
２ｂ  内縁
２ｅ  表面
３，３Ｄ，３Ｅ，３Ｆ  グリップ部
４  刃
５，５Ｂ，５Ｃ，５Ｇ  弾性変形部
６  張出部
７  鏡面部
【図１】
2008132003.tif 000003
【図２】
2008132003.tif 000004
【図３】
2008132003.tif 000005
【図４】
2008132003.tif 000006
【図５】
2008132003.tif 000007
【図６】
2008132003.tif 000008
【図７】
2008132003.tif 000009
【図８】
2008132003.tif 000010
【図９】
2008132003.tif 000011